(57)【特許請求の範囲】
【請求項１】
ハウジング（１）と、前記ハウジング（１）の開口部（１１）を閉塞している蓋部材（２）と、前記開口部（１１）の端部に形成された凹状の取付部（１２）に装着され、前記蓋部材（２）を前記ハウジング（１）に取り付ける事により、前記取付部（１２）に押圧密着されると共に、ハウジング（１）内部と外部とを接続する配管（４）が挿通される貫通孔（３１）を備えたゴム状弾性材製グロメット（３）において、
前記取付部（１２）の両端部に面取り様の傾斜面（１２１）、（１２１）を形成し、前記傾斜面（１２１）、（１２１）と前記蓋部材（２）とにより形成される前記貫通孔（３１）に沿って伸びる空所（１２２）、（１２２）に適合する断面三角形状の鍔部（３２）、（３２）を前記グロメット（３）の両側に設けると共に、前記鍔部（３２）、（３２）の両面に前記貫通孔（３１）に沿って伸びる軸方向リブ（３３）、（３３）を設けたことを特徴とするグロメット。
【請求項２】
前記取付部（１２）と接する前記グロメット（３）の周面に周方向リブ（３４）を設けたことを特徴とする請求項１記載のグロメット。
【請求項３】
前記周方向リブ（３４）を前記グロメット（３）の全周に設けたことを特徴とする請求項２記載のグロメット。
【請求項４】
前記グロメット（３）に補強部材（３５）を埋設してあることを特徴とする請求項１〜３のいずれか一項に記載のグロメット。
【発明の詳細な説明】
【技術分野】
【０００１】
本発明は、グロメットに関するものである。
また、自動車や汎用機械等に使用されるグロメットに関する。
【０００２】
更に詳しくは、ハウジング内部と外部とを配管で接続する部位に使用して有益なグロメットに関する。
【背景技術】
【０００３】
従来、自動車や汎用機械等に使用されるグロメットとしては、図８に示す構造のものが提案された。（特許文献１）
すなわち、従来のグロメット３００は、ハウジング１００と、このハウジング１００の開口部１１０を閉塞している蓋部材２００と、開口部１１０の端部に形成された凹状の取付部１２０に装着され、蓋部材２００をハウジング１に取り付ける事により、取付部１２０に押圧密着されると共に、ハウジング１００内部に配管４００が挿通される貫通孔３１０を備える構造を備えていた。
【０００４】
しかし、ハウジング１００及びハウジング１００に形成される取付部１２０の寸法精度は、不可避的に一定のバラツキが生じる。
【０００５】
ハウジング１００及びハウジング１００に形成される取付部１２０の寸法が小さく仕上がった場合には、図９に示す様に、グロメット３００の一部が、ハウジング１００と蓋部材２００との間隙５００にかみ込まれる様にはみ出す。
この結果、ハウジング１００内部の密封性が損なわれる。
この為、発生した間隙５００に、ＦＩＰＧ（液状ガスケット）を充填して密封性を維持する対策が採られたが、コストが嵩み、作業効率の低下を招来した。
【０００６】
また、ハウジング１００及びハウジング１００に形成される取付部１２０の寸法が大きく仕上がった場合には、図１０に示す様に、グロメット３００と蓋部材２００との間に間隙６００が発生する。
この結果、図９の場合と同様に、ハウジング１００内部の密封性が損なわれると共に、コストが嵩み、作業効率の低下を招来した。
【先行技術文献】
【特許文献】
【０００７】
【特許文献１】特開２００３−１０９４４８号公報
【発明の概要】
【発明が解決しようとする課題】
【０００８】
本発明は以上の点に鑑みて、ハウジング及びハウジングに形成される取付部の寸法精度に、不可避的に一定のバラツキが生じたとしても、密封性が良好なグロメットを提供することを目的とする。
【課題を解決するための手段】
【０００９】
上記目的を達成するために本発明にあっては、ハウジングと、前記ハウジングの開口部を閉塞している蓋部材と、前記開口部の端部に形成された凹状の取付部に装着され、前記蓋部材を前記ハウジングに取り付ける事により、前記取付部に押圧密着されると共に、前記ハウジング内部と外部とを接続する配管が挿通される貫通孔を備えたゴム状弾性材製グロメットにおいて、前記取付部の両端部に面取り様の傾斜面を形成し、前記傾斜面と前記蓋部材とにより形成される前記貫通孔に沿って伸びる空所に適合する断面三角形状の鍔部を前記グロメットの両側に設けると共に、前記鍔部の両面に前記貫通孔に沿って伸びる軸方向リブを設けたことを特徴とする。
【発明の効果】
【００１０】
本発明は、以下に記載されるような効果を奏する。
請求項１記載の発明のグロメットによれば、ハウジング及びハウジングに形成される取付部の寸法精度に、不可避的に一定のバラツキが生じたとしても、密封性が良好なグロメットを提供すると共に、グロメットの鍔部がハウジングと蓋部材との間にかみ込まれることをより効果的に阻止出来る。
【００１１】
更に、請求項２記載の発明のグロメットによれば、ハウジング及びハウジングに形成される取付部の寸法精度のより大きなバラツキに対応が可能となる。
更に、請求項３記載の発明のグロメットによれば、ハウジング、ハウジングに形成される取付部及び蓋部材の寸法精度のより大きなバラツキに対応が可能となる。
【００１２】
更に、請求項４記載の発明のグロメットによれば、グロメットの取り扱いが容易となると共に、良好な密封性能が維持出来る。
【図面の簡単な説明】
【００１３】
【図１】参考形態であるグロメットとハウジングと蓋部材の斜視図。
【図２】図１に示した参考形態が組み付けられた状態の部分拡大正面図。
【図３】図１に示したグロメットの正面図。
【図４】本発明の第１の形態に係るグロメットを図３と同様に示した図。
【図５】第２の形態に係るグロメットを図３と同様に示した図。
【図６】第３の形態に係るグロメットを図３と同様に示した図。
【図７】第４の形態に係るグロメットを図３と同様に示した図。
【図８】従来技術に係るグロメットとハウジングと蓋部材の斜視図。
【図９】図８に示す従来技術が組み付けられた状態の部分拡大正面図。
【図１０】図８に示す従来技術が組み付けられた他の状態の部分拡大正面図。
【発明を実施するための形態】
【００１４】
以下、本発明を実施するための形態について説明する。
図１乃至図３に基づき参考形態について説明する。
【００１５】
参考形態のグロメットは、ハウジング１と、このハウジング１の開口部１１を閉塞している蓋部材２と、開口部１１の端部に形成された凹状の取付部１２に装着され、蓋部材２をハウジング１に取り付ける事により、取付部１２に押圧密着されると共に、ハウジング１内部と外部とを接続する配管４が挿通される貫通孔３１を備えたゴム状弾性材製グロメット３とより構成されている。
【００１６】
そして、この取付部１２の両端部には、面取り様の傾斜面１２１、１２１が形成され、この傾斜面１２１、１２１と蓋部材２とにより形成される貫通孔３１に沿って伸びる空所１２２、１２２に適合する断面三角形状の鍔部３２、３２が、グロメット３の両側に設けられている。
【００１７】
従って、図３に示す形状のグロメット３が、図２に示す様に、ハウジング１と、このハウジング１の開口部１１を閉塞している蓋部材２との間に装着されると、グロメット３がハウジング１と蓋部材２とに密着し、ハウジング１内への流体の流入を確実に阻止出来る。
【００１８】
特に、グロメット３が、ハウジング１の取付部１２に比べ多少大きくなった場合においても、鍔部３２、３２は、ハウジング１と蓋部材２との間にグロメット３が噛み込まれることを阻止する為、従来技術の図９に示す様なハウジング１と蓋部材２との間に間隙を生ずる問題を回避出来る。
【００１９】
また、逆に、グロメット３が、ハウジング１の取付部１２に比べ多少小さくなった場合においても、鍔部３２、３２は、グロメット３を両側から支える為、従来技術の図１０に示す様なハウジング１と蓋部材２との間に間隙を生ずる問題を回避出来る。
【００２０】
図４に基づき本発明に係る第１の形態について説明する。
参考形態と相違する点は、鍔部３２、３２の両面に貫通孔３１に沿って伸びる軸方向リブ３３、３３を設けた点である。
【００２１】
この事により、グロメット３の鍔部３２、３２がハウジング１と蓋部材２との間にかみ込まれることをより効果的に阻止出来る。
すなわち、リブ３３、３３が、余剰のグロメット３の鍔部３２、３２の先端側への移動を阻止する為、グロメット３がハウジング１と蓋部材２との間にかみ込まれることをより確実に回避出来ると共に、鍔部３２、３２が傾斜面１２１、１２１上に安定的に配置できる。
また、リブ３３、３３は、グロメット３がハウジング１と蓋部材２との間に圧縮された際、ハウジング１と蓋部材２との間隙を埋設する様に変形し、結果として、リブ３３、３３の形跡が判らない、図２に示す様な隙間が存在しない形に変形する。
従って、リブ３３、３３の形状は、余り大きすぎても良くない。
【００２２】
図５に基づき本発明に係る第２の形態について説明する。
第１の形態と相違する点は、取付部１２と接するグロメット３の周面に周方向リブ３４を設けた点である。
【００２３】
この事により、グロメット３は、ハウジング１及びハウジング１に形成される取付部１２、１２の寸法精度のより大きなバラツキに対応が可能となる。
すなわち、グロメット３本体に比べ、周方向リブ３４の圧縮変形が容易な為、寸法精度のバラツキをより多く吸収出来る。
周方向リブ３４は、１本で有っても良いが、グロメット３をより安定的に保持する為には、複数本存在することが望ましい。
【００２４】
図６に基づき本発明に係る第３の形態について説明する。
第２の形態と相違する点は、周方向リブ３４をグロメット３の全周に設けた点である。
【００２５】
この事により、ハウジング、ハウジングに形成される取付部及び蓋部材の寸法精度のより大きなバラツキに対応が可能となる。
【００２６】
図７に基づき本発明に係る第４の形態について説明する。
第３の形態と相違する点は、グロメット３に金属材製の補強部材３５を埋設してある点である。
【００２７】
補強部材３５は、周方向リブ３４と略同心状に埋設されており、両端部が鍔部３２、３２に向かう形に折り曲げられている。
この事により、グロメット１の剛性が高まり、グロメット１の取り扱いが容易となる。
また、リブ３３、３３は、補強部材３５が存在する為、傾斜面１２１側に沿って押し出される作用が助長される為、空所１２２の密封性が良くなる。
【００２８】
本発明で使用されるゴム状弾性材製グロメット１の材質は、ＦＫＭ、シリコーンゴム、ＥＰＤＭ、ニトリルゴム、アクリルゴム、ＨＮＢＲ等の各種のゴム状弾性体を適宜選択して使用出来る。
【００２９】
また、本発明は上述の発明を実施するための最良の形態に限らず、本発明の要旨を逸脱することなくその他種々の構成を採り得ることはもちろんである。
【産業上の利用可能性】
【００３０】
ハウジング内部と外部とを配管で接続する部位に使用して有益である。
【符号の説明】
【００３１】
１    ハウジング
２    蓋部材
３    グロメット
４    配管
１１  開口部
１２  取付部
３１  貫通孔
３２  鍔部
３３  軸方向リブ
３４  周方向リブ
３５  補強部材
１２１傾斜面
【図１】
0005804315.tif 000002
【図２】
0005804315.tif 000003
【図３】
0005804315.tif 000004
【図４】
0005804315.tif 000005
【図５】
0005804315.tif 000006
【図６】
0005804315.tif 000007
【図７】
0005804315.tif 000008
【図８】
0005804315.tif 000009
【図９】
0005804315.tif 000010
【図１０】
0005804315.tif 000011